(57)【要約】【課題】本体部と表示部とをヒンジを介して接続した構成において、本体部に対して表示部の向きを規定するとともに、表示部に所望の動きをさせる。【解決手段】キーボードが設けられた本体部と、表示面を有し、前記本体部と重なる第１の状態と、前記本体部に対して起立した第２の状態との間を移動する表示部と、前記第１の状態では前記キーボードと重なり、前記本体部に対して前記表示部を移動可能に連結するヒンジと、を備え、前記ヒンジは、前記本体部に対して第１の回転中心軸を中心として回動可能に構成された第１のヒンジ部と、前記本体部に対して第３の回転中心軸を中心として回動可能に構成された第２のヒンジ部と、を有し、前記本体部に対して前記表示部が前記第１の状態と前記第２の状態との間を移動する際に、前記第１の回転中心軸が曲線上を移動する。【選択図】図１８
2014232386.tif 000002
【特許請求の範囲】
【請求項１】
キーボードが設けられた平板状の本体部と、
表示面を有し、前記本体部と重なる第１の状態と、前記本体部に対して起立した第２の状態との間をスライドして移動する平板状の表示部と、
前記第１の状態では前記キーボードと重なるように配置され、前記本体部に対して前記表示部を移動可能に前記本体部と前記表示部とを連結するヒンジと、を備え、
前記ヒンジは、
前記本体部に対して第１の回転中心軸を中心として回動可能に構成され、前記表示部に対して第２の回転中心軸を中心として回動可能に構成された第１のヒンジ部と、前記本体部に対して第３の回転中心軸を中心として回動可能に構成され、前記表示部に対して第４の回転中心軸を中心として回動可能に構成された第２のヒンジ部と、を有し、
前記本体部に対して前記表示部が前記第１の状態と前記第２の状態との間を移動する際に、前記第１の回転中心軸が所定の曲線上を移動するように構成された、電子機器
【請求項２】
前記本体部には前記所定の曲線によるカム溝が形成され、
前記第１の回転中心軸は前記カム溝に沿って移動する、請求項１に記載の電子機器。
【請求項３】
前記第１の回転中心軸が前記所定の曲線上を移動することにより、前記第１の状態から前記第２の状態へ前記表示部が移動する際に、前記表示部の下側の端部が前記本体部の上面に沿って移動する、請求項１に記載の電子機器。
【請求項４】
前記第１の回転中心軸が前記所定の曲線上を移動することにより、前記第１の状態から前記第２の状態へ前記表示部が移動する際に、前記第１の状態と前記第２の状態の中間では、前記表示部の下側の端部が前記本体部の上面を浮き上がるように移動する、請求項２に記載の電子機器。
【請求項５】
前記本体部の上面に対して前記キーボードの上面が傾斜している、請求項４に記載の電子機器。
【請求項６】
前記ヒンジが前記キーボードの幅方向の中央に延在するように配置された、請求項１に記載の電子機器。
【請求項７】
前記キーボードの手前側の領域にポインティングデバイスが設けられた、請求項１に記載の電子機器。
【請求項８】
前記本体部上で前記第１及び第２の回転中心軸は平行に配置される、請求項１に記載の電子機器。
【発明の詳細な説明】
【技術分野】
【０００１】
本開示は、電子機器に関する。
【背景技術】
【０００２】
従来、例えば下記の特許文献１には、情報を入力するキーボードが上面に備えられた本体部と、情報を表示するディスプレイが上面に備えられた表示部とを備え、表示部をスライド機構とチルトアップ・チルトダウン機構とによって本体部に対してスライド及びチルトアップ・チルトダウンする装置が記載されている。
【先行技術文献】
【特許文献】
【０００３】
【特許文献１】特開２００９−２３０２４４号公報
【発明の概要】
【発明が解決しようとする課題】
【０００４】
しかしながら、特許文献１に記載された構成では、本体部に対する表示部の回転支点が本体部の幅方向の両端に２箇所設けられており、且つ回転支点が本体部の奥行き方向の中央付近に設けられているため、キーボードのスペースが大きく制約を受けてしまう可能性がある。このため、特に装置の奥行き方向のスペースを広くとることができず、本体部の平面の大きさに対して非常に小型のキーボードしか搭載できないという可能性がある。従って、キーボードの手前にタッチパッド、パームレスト等の構成要素を配置することは難しかった。
【０００５】
また、特許文献１に記載された構成では、本体部の両端に表示部をスライドさせるスライドガイド（溝）が設けられているため、スライドガイドによって本体部のスペースが奪われてしまい、更なる小型化、薄型化の障害となっている。
【０００６】
このため、キーボードのスペースを最大限に確保し、装置の小型化、薄型化を図るためには、本体部と表示部とをヒンジを介して接続することが考えられる。しかしながら、本体部と表示部とをヒンジを介して接続した場合、ヒンジとキーボードが干渉しないようにするため、キーボードを配置する領域に制約が生じてしまう。このため、キーボードの大きさが小さくなったり、キーボードの手前にタッチパッドやアームレスト等を配置することが難しかった。
【０００７】
また、ヒンジを用いた場合、ヒンジと本体部は回転中心軸を中心として回動可能に連結され、ヒンジと本体部も回転中心軸を中心として回動可能に連結されるが、このような構成の場合、表示部が移動する間に表示部が所定の方向を向くように制約が与えられる。しかしながら、表示部が移動する間に本体部に対する表示部の向きを規定するために、２枚のヒンジを重ねて設けた場合は、表示部の動きの制約が顕著となり、本体部に対する表示部の動きを所望の動きとすることが難しかった。
【０００８】
そこで、本体部と表示部とをヒンジを介して接続した構成において、本体部に対して動作している表示部に所望の動きをさせることが望まれていた。
【課題を解決するための手段】
【０００９】
本開示によれば、キーボードが設けられた平板状の本体部と、表示面を有し、前記本体部と重なる第１の状態と、前記本体部に対して起立した第２の状態との間をスライドして移動する平板状の表示部と、前記第１の状態では前記キーボードと重なるように配置され、前記本体部に対して前記表示部を移動可能に前記本体部と前記表示部とを連結するヒンジと、を備え、前記ヒンジは、前記本体部に対して第１の回転中心軸を中心として回動可能に構成され、前記表示部に対して第２の回転中心軸を中心として回動可能に構成された第１のヒンジ部と、前記本体部に対して第３の回転中心軸を中心として回動可能に構成され、前記表示部に対して第４の回転中心軸を中心として回動可能に構成された第２のヒンジ部と、を有し、前記本体部に対して前記表示部が前記第１の状態と前記第２の状態との間を移動する際に、前記第１の回転中心軸が所定の曲線上を移動するように構成された、電子機器が提供される。
【００１０】
前記本体部には前記所定の曲線によるカム溝が形成され、前記第１の回転中心軸は前記カム溝に沿って移動するものであっても良い。
【００１１】
また、前記第１の回転中心軸が前記所定の曲線上を移動することにより、前記第１の状態から前記第２の状態へ前記表示部が移動する際に、前記表示部の下側の端部が前記本体部の上面に沿って移動するものであっても良い。
【００１２】
また、前記第１の回転中心軸が前記所定の曲線上を移動することにより、前記第１の状態から前記第２の状態へ前記表示部が移動する際に、前記第１の状態と前記第２の状態の中間では、前記表示部の下側の端部が前記本体部の上面を浮き上がるように移動するものであっても良い。
【００１３】
また、前記本体部の上面に対して前記キーボードの上面が傾斜しているものであっても良い。
【００１４】
また、前記ヒンジが前記キーボードの幅方向の中央に延在するように配置されたものであっても良い。
【００１５】
また、前記キーボードの手前側の領域にポインティングデバイスが設けられたものであっても良い。
【００１６】
また、前記本体部上で前記第１及び第２の回転中心軸は平行に配置されるものであっても良い。
【発明の効果】
【００１７】
本開示によれば、本体部と表示部とをヒンジを介して接続した構成において、本体部に対して動作している表示部に所望の動きをさせることが可能となる。
【図面の簡単な説明】
【００１８】
【図１】本体部上に表示部を重ねた状態を示す模式図である。
【図２】本体部に対して表示部をスライドさせて起き上がらせた状態を示す模式図である。
【図３】図２の状態を情報処理装置の背面から見た状態を示す模式図である。
【図４】図１に示す状態から表示部を取り外した状態を示す斜視図である。
【図５】本体部、表示部、ヒンジのリンク機構を示す模式図である。
【図６】図５との比較のため、ヒンジがキーボードと重ならないようにした例を示す模式図である。
【図７】情報処理装置の中央の前後方向に沿った断面を示す模式図である。
【図８】図７をより詳細に示す断面図である。
【図９】表示部の裏側に設けた凸状領域を示す模式図である。
【図１０】表示部の内部構造を示す模式図である。
【図１１】凸状領域にモジュールを配置した例を示す模式図である。
【図１２】凸状領域にモジュールを配置した例を示す模式図である。
【図１３】本体部に対して表示部がチルトする様子を示す図である。
【図１４】本体部に対して表示部がチルトする様子を示す図である。
【図１５】図１３及び図１４に示す動きを実現するための本体部、表示部、及びヒンジのリンク機構を示す模式図である。
【図１６】スライダが水平方向に直線状に動く場合を示す模式図である。
【図１７】スライダが水平方向に直線状に動く場合を示す模式図である。
【図１８】本体部に対する表示部の動きと、曲線カムの具体的な形状を示す模式図である。
【図１９】ヒンジ及び曲線カムの詳細な構成を示す模式図である。
【図２０】ヒンジの詳細な構成を示す模式図である。
【図２１】ヒンジが本体部に対して回動する様子を示す模式図である。
【図２２】図２に示す状態での情報処理装置の右側面を示しており、ラッチ構造が設けられた位置での前後方向に沿った断面を示す模式図である。
【図２３】図２２に示す領域Ａ１を拡大して示す断面図である。
【図２４】図２に示す状態から図１に示す状態へ移行する際に、本体部と表示部とが重なる直前の状態を示す模式図である。
【図２５】図２４中の領域Ａ２を拡大して示す断面図である。
【図２６】図２に示す状態から図１に示す状態へ移行する際に、本体部１００と表示部２００とが図２４よりも近接した状態を示す模式図である。
【図２７】図２６中の領域Ａ３を拡大して示す断面図である。
【図２８】本体部と表示部とが完全に重なった状態（図１の状態）を示す模式図である。
【図２９】図２８中の領域Ａ４を拡大して示す断面図である。
【発明を実施するための形態】
【００１９】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
１．情報処理装置の外観例
２．本体部、表示部、ヒンジのリンク機構
３．表示部と本体部の間に設けられる空間の活用
４．本体部に対して表示部がチルトする構造
５．本体部と表示部を係合するラッチ機構
【００２０】
［１．情報処理装置の外観例］
まず、図１〜図３を参照して、本開示の第１の実施形態に係る情報処理装置の概略構成について説明する。図１〜図３は、情報処理装置（電子機器）１０００の外観を示す模式図である。情報処理装置１０００は、本体部１００と表示部２００とを有して構成されている。本体部１００にはキーボード１１０が設けられている。表示部２００は、ＬＣＤ等の表示デバイス上にタッチセンサが設けられたタッチパネル２１０を備えている。
【００２１】
図１は、本体部１００上に表示部２００を重ねた状態を示している。この状態では、ユーザはタッチパネル２１０を操作することで、所望の操作を行うことができる。すなわち、ユーザは情報処理装置１０００をいわゆるタブレット端末として使用することができる。
【００２２】
一方、図２は、本体部１００に対して表示部２００をスライドさせて起き上がらせた状態を示している。この状態では、ユーザはキーボード１１０を操作することで所望の操作を行うことができる。また、ユーザは、表示部２００のタッチパネル２１０を操作することで、所望の操作を行うこともできる。更に、ユーザは、キーボード１１０の手前の領域に設けられたポインティングデバイスであるタッチパッド１２０を操作することで、所望の操作を行うこともできる。
【００２３】
図３は、図２の状態を情報処理装置１０００の背面から見た状態を示している。図３に示すように、本体部１００と表示部２００とは、ヒンジ３００を介して接続されている。情報処理装置１０００は、ヒンジ３００を介して表示部２００が本体部３００に対してスライド動作（以下、サーフスライドとも称する）をすることで、図１に示す状態と図２に示す状態とを相互に移行することができる。
【００２４】
図４は、図１に示す状態から表示部２００を取り外した状態を示す斜視図である。図１に示すように、表示部２００が本体部１００上に重ねられた図１に示す状態では、ヒンジ３００の手前側の一部がキーボード１１０と重なっている。換言すれば、ヒンジ３００は、キーボード１１０と重なるまで前側に延在して設けられており、ヒンジ３００の前後方向の長さが十分に長く確保されている。このような構成により、表示部２００を開いた状態（図２）では、表示部２００を本体部１００に対してより奥側に移動させることができるため、表示部２００のチルト角を大きくすることができる。
【００２５】
［２．本体部、表示部、ヒンジのリンク機構］
図５は、本体部１００、表示部２００、ヒンジ３００のリンク機構を示す模式図である。図５の上段は図１に示す状態を模式的に示しており、下段は図２に示す状態を模式的に示している。図５に示す例では、ヒンジ３００の長さＬ１が長く、ヒンジ３００とキーボード１１０とが重なっている。図５に示すように、ヒンジ３００は２つのヒンジ板３１０及びヒンジ板３２０から構成されている。本体部１００とヒンジ３００とは、２つのリンク（節）３３０，３４０を介して接続されている。また、本体部１００と表示部２００とは、２つのリンク（節）３５０，３６０を介して接続されている。このような構成により、本体部１００に対して表示部２００を後側にスライドさせると、本体部１００に対して表示部２００をチルトすることができる。
【００２６】
図６は、図５との比較のため、ヒンジ３００の長さＬ２を図５のヒンジ３００の長さＬ１よりも短くして、ヒンジ３００がキーボード１１０と重ならないようにした例を示している。この場合、表示部２００をチルトさせると、ヒンジの長さＬ２が短いため、チルト角は図５の場合よりも小さくなり、表示部２００が上方を向いてしまう。このため、キーボード１１０を本体部１００のより前側に配置する必要があり、キーボード１１０の大きさに制約が生じてしまう。
【００２７】
一方、図５に示す本実施形態では、ヒンジ３００がキーボード１１０と重なるようにして、ヒンジの長さＬを十分に長くすることで、チルト角を十分に大きくすることができる。これにより、図２に示す状態では、表示部２００の下端を本体部１００のより奥側に位置させることができ、キーボード１１０を本体部１００のより奥側に配置することができる。従って、キーボート１１０の手前の領域にタッチパッド、パームレスト、ＮＦＣ等の構成要素を配置することが可能となる。また、チルト角を大きくすることで、図２に示す状態でユーザが情報処理装置１０００を机上に置いて操作する際に、表示部２００の視認性を高めることができる。
【００２８】
また、キーボード１１０にヒンジ３００が重なるように構成することで、ヒンジ３００の位置によってキーボード１１０の位置が制約を受けることがなく、キーボード１１０の使用領域を大きくとることができる。これにより、キーのピッチを大きくすることも可能となる。また、キーボード１１０上にヒンジ３００が重なるように構成することで、ヒンジ３００の使用領域が広がり、図２の状態とした時に表示部２００の下端を本体部２００の奥まで移動できる。これにより、チルト角を大きくすることができるととともに、キーボード１１０の領域をより広くとることができる。また、キーボード１１０を本体部１００のより後側に配置することも可能となる。従って、図２に示すように、キーボード１１０の前側にタッチパッド１２０を配置することができ、またＮＦＣ、パームレスト等を配置することも可能となる。一方、図６に示したように、ヒンジ３００がキーボード１１０と重ならないように構成すると、キーボード１１０を本体部１００のより前側に配置することになり、タッチパッド１２０を設けるスペースを確保することが困難となる。従って、本実施形態のようにキーボード１１０上にヒンジ３００が重なるように構成することで、キーボード１１０の前側に有効なスペースを確保することが可能となり、より付加価値の高い構成とすることができる。
【００２９】
また、本実施形態では、ヒンジ３００を本体部１００の中央の１箇所のみに配置している。仮にヒンジ３００を本体部１００の両端の２箇所に配置した場合、キーボード１１０の両側にヒンジ３００のスペースを設けることが想定され、本体部１００の横幅が増大する可能性がある。また、キーボード１１０の両側の本体部１００にヒンジを避けるための凹部、溝等が必要になることも想定される。従って、ヒンジ３００を本体部１００の中央の１箇所のみに配置したことにより、情報処理装置１０００の更なる小型化を達成することができ、情報処理装置１０００の構成を簡素にして外観を損なわないようにすることが可能となる。
【００３０】
［３．表示部と本体部の間に設けられる空間の活用］
次に、図１に示す状態でヒンジ３００が本体部１００と表示部２００の間に収納される構成について説明する。図７は、情報処理装置１０００の中央の前後方向に沿った断面を示す模式図である。図７に示すように、本体部１００の上面１００ａに対してキーボード１１０の上面１１０ａはある角度を有して配置されており、本体部１００の上面１００ａとキーボード１１０の上面１１０ａは平行ではない。このため、図４に示すように、本体部１００の奥側に行くほど、上面１００ａに対してキーボード１１０の上面１１０ａとの間に段差が生じるように構成されている。このような構成により、表示部２００とキーボード１１０との間には所定の空間Ｖが形成され、図１の状態では、ヒンジ３００はこの空間Ｖ内に配置される。従って、ヒンジ３００とキーボード１１０または表示部２００が干渉することがなく、ヒンジ３００を空間Ｖ内に収容することができる。
【００３１】
図８は、図７をより詳細に示す断面図である。図８に示すように、ヒンジ３００はキーボード１１０と表示部２００との間の空間Ｖに配置される。
【００３２】
また、ヒンジ３００は本体部１００の中央の１箇所のみに設けられるため、ヒンジ３００の両側にも空間Ｖが存在する。本実施形態では、このヒンジ３００の両側の空間Ｖが埋まるように表示部２００の裏側にキーボード１１０に向かって突出する膨らみ（凸状領域）２００ａを設けている。図９は、表示部２００の裏側に設けた凸状領域２００ａを示す模式図である。図９に示すように、膨らみ２００ａは表示部２００の中央に対して左右に設けられ、表示部２００とキーボード１１０との間に形成される空間Ｖの形状に合わせて、図１の状態で本体部１００よりも奥になるほど、表示部２００の厚さが厚くなるように構成される。
【００３３】
このような構成により、表示部２００の凸状領域２００ａには各種モジュールを配置することができる。図１０は、表示部２００の内部構造を示す模式図である。例えば、一方の凸状領域２００ａにはタッチパネル基板、カメラモジュール、ボタン基板からの３種類の信号線を１本にまとめる中継基板２２０を配置することができる。また、他方の凸状領域２００ａには、ＷＡＮモジュール、ＳＩＭスロットを搭載した基板を配置することができる。更に、凸状領域２００ａにＬＣＤハーネス、アンテナケーブル等を配置することで、凸状領域２００ａのスペースを余すところなく活用することが可能である。
【００３４】
また、凸状領域２００ａにはスピーカ、バッテリーなどの他のモジュールを配置することもできる。スピーカを凸状領域２００ａに配置した場合、本体側１００の空間に比して非常に大きな空間を使用することができるため、高音質のスピーカを配置することが可能となる。本体部１００に配置した場合と比べてより高い位置から音を伝えることが可能となり、音質を高めることが可能となる。また、凸状領域２００ａにバッテリーを配置した場合は、バッテリー容量の増加を図ることもできる。
【００３５】
通常、本体部１００にはマザーボード等のノイズの発生源となるモジュールが配置される。このため、表示部２００の凸状領域２００ａには、ノイズの影響を受け易い通信系のモジュール、アンテナ等を配置することが望ましい。これにより、本体部２００からのノイズの影響を抑止することが可能である。アンテナを配置した場合には、ＳＡＲ対策として有効に利用することもできる。また、凸状領域２００ａにＮＦＣ（Ｎｅａｒ  Ｆｉｅｌｄ  Ｃｏｍｍｕｎｉｃａｔｉｏｎ）を搭載するようにしても良い。
【００３６】
図１１及び図１２は、凸状領域２００ａにモジュールを配置した例を示す模式図である。図１１は、図１の状態を情報から見た状態を示している。また、図１２は、図１１中の一点鎖線ＩＩＩ−ＩＩＩ’に沿った断面を示しており、ヒンジ３００よりも右側の断面を示している。図１２に示すように、表示部２００の右側の凸状領域２００ａには、モジュールとしてＷＡＮ基板２４０が配置されている。他のモジュールも同様に配置することができる。空間Ｖは情報処理装置１０００の奥側ほど上下の幅が大きくなるため、比較的厚さのあるモジュールは情報処理装置１０００の奥側に配置し、比較的薄いモジュールは情報処理装置の手前側に配置することが好適である。
【００３７】
このように、本体部１００の上面１００ａに対してキーボード１１０の上面１１０ａを斜めに配置したことにより、キーボード１１０と表示部２００との間に空間を設けることができ、ヒンジ３００をキーボード１１０と重ねて配置することができる。また、キーボード１１０と表示部２００との間に空間を設けたことにより、ヒンジ３００の両側に凸状領域２００ａを設けることができる。従って、凸状領域２００ａにモジュールを配置することで、空間を有効利用して最小化することができ、情報処理装置１０００の全体の厚さを増やすことなく、モジュールを配置することが可能となる。本来は本体部１００に配置するモジュールを表示部２００側に配置することで、無駄なスペースを無くし、情報処理装置１０００の小型化、軽量化が可能となる。
【００３８】
［４．本体部に対して表示部がチルトする構造］
次に、図１に示す状態から図２に示す状態へ、本体部１００に対して表示部２００がチルトする構造について詳細に説明する。図１３は、本体部１００に対して表示部２００がチルトする様子を示す図であって、情報処理装置１０００を右側から見た状態を示す模式図である。また、図１４は、本体部１００に対して表示部２００がチルトする様子を、表示部３００が重ならないように表示部２００の位置を水平方向にずらして示した図である。
【００３９】
図１３及び図１４に示すように、本実施形態では、図１に示す状態から図２に示す状態へ表示部２００がチルトする際に、表示部２００が本体部１００の上面に沿って移動する。より詳細には、表示部２００の下端が本体部１００の上面に沿って移動する。また、表示部２００の下端は、図１に示す状態と図２に示す状態の中間では、本体部１００の上面からより浮き上がるようにして移動する。これにより、表示部２００がチルトする際に表示部２００上を綺麗に這うように進むため、品位の高い動きを実現することができる。また、図２に示す状態から図１に示す状態に移行する際に、比較的早い段階で表示部２００が本体部１００と平行になるため、品位のあるサーフスライドを実現することも可能となる。
【００４０】
この動きを実現するため、本実施形態では、ヒンジ３００の１つのリンクを曲線に沿って移動させている。図１５は、図１３及び図１４に示す動きを実現するための本体部１００、表示部２００、及びヒンジ３００のリンク機構を示す模式図である。図１５に示す機構では、図５の機構に加えてリンク３７０が追加されている。リンク３７０を設けることによって、表示部３００の自由度を一自由度だけ減らし、ヒンジ３００の角度が固定されている状態で表示部２００のチルト角が変わることを抑えることができる。
【００４１】
そして、図１５に示す機構では、リンク３３０にスライダ３８０が設けられ、図１の状態から図２の状態に表示部２００がチルトする際に、スライダ３８０が所定の曲線上を動くように構成されている。具体的には、スライダ３８０は、曲線カム４００に挿入され、曲線カム４００に沿って動くように構成されている。曲線カム４００の形状を任意に設定することで、表示部２００の開閉動作中の軌道を任意に設定することができる。従って、曲線カム４００の形状を最適に設定することで、上述した表示部２００の下端が本体部１００の上面に沿って移動する動きを実現することができる。また、曲線カム４００の形状を最適に設定することで、表示部２００がキーボード１１０と干渉することを確実に回避することができる。また、図１３に示すように、チルトの過程で表示部２００の下端が本体部１００の上面を凸状に湾曲して移動するような動きの微調整を行うことも可能となる。従って、スライダ３８０が曲線上を動くように構成することで、表示部２００の所望のチルト動作を実現することが可能となる。
【００４２】
一方、図１６及び図１７は、比較として、スライダ３８０が水平方向に直線状に動く場合を示している。この場合、図２の状態から図１の状態に移行するにつれて、表示部２００の下端が本体部１００の上面よりも低い位置となり、表示部２００と本体部１００が干渉してしまう。従って、スライダ３８０が水平方向に直線状に動くように構成した場合は、図１３及び図１４に示すような表示部２００の動きを実現することができない。
【００４３】
従って、本実施形態によれば、スライダ３８０が曲線上を動くように構成したため、表示部２００の動きに自由度を与えることができ、表示部２００（ディスプレイ）がキーボード上をきれいに這うような品位のある動きを実現することが可能となる。また、スライダ３８０が曲線上を動くように構成することで、キーボード１１０との干渉を避けることが容易となるため、ヒンジ３００の設計自由度を高めることも可能となる。
【００４４】
図１８及び図１９は、ヒンジ３００及び曲線カム４００の詳細な構成を示す模式図である。図１８は、本体部１００に対する表示部２００の動きと、曲線カム４００の具体的な形状を示す模式図である。図１８の左側の図では、図１３と同様に、本体部１００は一部のみを示している。図１８の右側の図では、本体部１００に設けられた曲線カム４００を拡大して示している。
【００４５】
図１９は、ヒンジ３００の詳細な構成を示す模式図であって、上段の図は表示部２００を本体部３００に重ねた状態（図１）で表示部２００を取り除き、ヒンジ３００を上方から見た状態を示している。また、図１９の下段の図は、上段の図に示す一点鎖線Ｉ−Ｉ’、一点鎖線ＩＩ−ＩＩ’に沿った断面をそれぞれ示している。図１９に示すように、リンク３３０は図５に示すスライダ３８０の機能を兼ねており、曲線カム４００に沿って移動することができる。リンク３３０は一点鎖線Ｉ−Ｉ’の位置から一点鎖線ＩＩ−ＩＩ’の位置まで各一点鎖線と直交する方向に延在している。リンク３７０は一点鎖線Ｉ−Ｉ’の位置に設けられている。このように、図１５では全てのリンクを同一面上に配置したが、各リンクの位置は適宜変化させることができる。図１９において、表示部２００は取付板２３０に装着される。
【００４６】
図２０は、ヒンジ３００の構成を示す斜視図である。図２０の上段の図は、ヒンジ３００を上側から見た状態を示している。また、図２０の下段の図は、ヒンジ３００を下側（本体部側）から見た状態を示している。図２０において、取付部１３０は本体部１００に固定され、本体部１００と一体化される。
【００４７】
図２１は、上記のように構成されたヒンジ３００が本体部１００に対して回動する様子を示す模式図である。ヒンジ３００が本体部１００に対して回動すると、スライダ３８０の機能を兼ね備えるリンク３３０が曲線カム４００に沿って移動する。これにより、図１１に示したような品位のある動きを実現することが可能となる。
【００４８】
［５．本体部と表示部を係合するラッチ機構］
次に、表示部２００が図１のように閉じた際と図２のように開いた際に、本体部１００と表示部２００を係合するラッチ機構について説明する。図３に示すように、本体部１００には左右の両端にフック１４０が設けられている。また、表示部２００には、フック１４０と係合するラッチ２６０が設けられている。
【００４９】
図２２は、図２に示す状態での情報処理装置１０００の右側面を示しており、ラッチ構造が設けられた位置での前後方向に沿った断面を示している。図２２に示すように、本体部１００にはフック１４０が設けられている。フック１４０は、図２に示す状態では、表示部２００の下端の近傍に設けられた係合部２５０と係合する。図２３は、図２２に示す領域Ａ１を拡大して示す断面図である。このように、本体部１００に対して表示部２００をチルトした上状態では、フック１４０の先端の下側の部分１４２が、表示部２００の係合部２５０の当接面２５２と当接する。ここで、図２に示す状態では、ヒンジ３００が図２２中の矢印Ｂ１方向に回動するようにヒンジ３００に対してバネ（不図示）で付勢力が与えられている。従って、フック１４０の下側の部分１４２が係合部２５０の当接面２５２と当接した状態が維持される。これにより、図２に示す状態で表示部２００を本体部１００に対して固定することができる。
【００５０】
また、曲線カム４００は、図２に示す状態では、フック１４０と係合部２５０の位置が一致するようにその形状が設定されている。従って、本体部１００に対して表示部２００をチルトした際には、フック１４０と係合部２５０の位置が必ず一致し、フック１４０の下側の部分１４２と係合部２５０の当接面２５２とを確実に当接させることができる。
【００５１】
図２４は、図２に示す状態から図１に示す状態へ移行する際に、本体部１００と表示部２００とが重なる直前の状態を示す模式図である。この場合、図２４に示すように、表示部２００に設けられたラッチ２６０がフック１４０へ向かって移動する。図２５は、図２４中の領域Ａ２を拡大して示す断面図である。ラッチ２６０は、スライダ２６２と圧縮バネ２６４を有して構成されている。スライダ２６２は圧縮バネ２６４によって矢印Ｂ２方向に付勢されている。また、フック１４０には、スライダ２６２の先端と係合する凹状部１４２が設けられている。
【００５２】
図２６は、図２に示す状態から図１に示す状態へ移行する際に、本体部１００と表示部２００とが図２４よりも近接した状態を示す模式図である。また、図２７は、図２６中の領域Ａ３を拡大して示す断面図である。図２６及び図２７に示す状態では、フック１４０の先端がスライダ２６２と当接し、スライダ２６２が圧縮バネ２６４の付勢力に対抗して矢印Ｂ３方向へ移動する。
【００５３】
図２８は、本体部１００と表示部２００とが完全に重なった状態（図１の状態）を示している。また、図２９は、図２８中の領域Ａ４を拡大して示す断面図である。図２６及び図２７に示す状態では、スライダ２６２が圧縮バネ２６４によって矢印Ｂ２方向へ付勢され、スライダ２６２の先端がフック１４０の凹状部１４２と係合する。スライダ２６２の先端がフック１４０の凹状部１４２と係合することにより、表示部２００が本体部１００に対して固定される。この状態では、表示部２００のタッチパネル２１０は上面を向いている。従って、ユーザは、情報処理装置１０００をいわゆるタブレット端末として使用することができる。
【００５４】
図１に示す状態から図２に示す状態へ移行する場合は、図２８に示す状態から図２６へ示す状態へ、表示部２００を本体部１００に対して持ち上げる。すると、凹状部１４２の形状に倣って、スライダ２６２が圧縮バネ２６４の付勢力に対抗して矢印Ｂ３方向へ移動する。従って、フック１４０とスライダ２６４との係合が外れ、図２に示す状態へサーフスライドさせることができる。
【００５５】
以上説明したように本実施形態によれば、本体部１００に対して表示部２００がサーフスライドする構成において、表示部２００を折り畳んだ状態ではヒンジ３００がキーボード１１０と重なるように構成したため、キーボード１１０の専有面積を最大限に確保することが可能となり、またキーボードの前面にタッチパッド、パームレスト等を配置することが可能となる。また、ヒンジ３００を曲線カム４００に沿って移動するようにしたため、ヒンジ３００に所望の動きを実現することができ、表示部２００の下端が本体部１００の上面に沿って移動する品位のある動きを実現することが可能となる。
【００５６】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００５７】
なお、以下のような構成も本開示の技術的範囲に属する。
（１）キーボードが設けられた平板状の本体部と、
表示面を有し、前記本体部と重なる第１の状態と、前記本体部に対して起立した第２の状態との間をスライドして移動する平板状の表示部と、
前記第１の状態では前記キーボードと重なるように配置され、前記本体部に対して前記表示部を移動可能に前記本体部と前記表示部とを連結するヒンジと、を備え、
前記ヒンジは、
前記本体部に対して第１の回転中心軸を中心として回動可能に構成され、前記表示部に対して第２の回転中心軸を中心として回動可能に構成された第１のヒンジ部と、前記本体部に対して第３の回転中心軸を中心として回動可能に構成され、前記表示部に対して第４の回転中心軸を中心として回動可能に構成された第２のヒンジ部と、を有し、
前記本体部に対して前記表示部が前記第１の状態と前記第２の状態との間を移動する際に、前記第１の回転中心軸が所定の曲線上を移動するように構成された、電子機器
（２）前記本体部には前記所定の曲線によるカム溝が形成され、
前記第１の回転中心軸は前記カム溝に沿って移動する、前記（１）に記載の電子機器。
（３）前記第１の回転中心軸が前記所定の曲線上を移動することにより、前記第１の状態から前記第２の状態へ前記表示部が移動する際に、前記表示部の下側の端部が前記本体部の上面に沿って移動する、前記（１）に記載の電子機器。
（４）前記第１の回転中心軸が前記所定の曲線上を移動することにより、前記第１の状態から前記第２の状態へ前記表示部が移動する際に、前記第１の状態と前記第２の状態の中間では、前記表示部の下側の端部が前記本体部の上面を浮き上がるように移動する、前記（２）に記載の電子機器。
（５）前記本体部の上面に対して前記キーボードの上面が傾斜している、前記（４）に記載の電子機器。
（６）前記ヒンジが前記キーボードの幅方向の中央に延在するように配置された、前記（１）に記載の電子機器。
（７）前記キーボードの手前側の領域にポインティングデバイスが設けられた、前記（１）に記載の電子機器。
（８）前記本体部上で前記第１及び第２の回転中心軸は平行に配置される、前記（１）に記載の電子機器。
【符号の説明】
【００５８】
１０００  電子機器
１００    本体部
１１０    キーボード
２００    表示部
３００    ヒンジ
３１０，３２０    ヒンジ
４００    曲線カム
【図１】
2014232386.tif 000003
【図２】
2014232386.tif 000004
【図３】
2014232386.tif 000005
【図４】
2014232386.tif 000006
【図５】
2014232386.tif 000007
【図６】
2014232386.tif 000008
【図７】
2014232386.tif 000009
【図８】
2014232386.tif 000010
【図９】
2014232386.tif 000011
【図１０】
2014232386.tif 000012
【図１１】
2014232386.tif 000013
【図１２】
2014232386.tif 000014
【図１３】
2014232386.tif 000015
【図１４】
2014232386.tif 000016
【図１５】
2014232386.tif 000017
【図１６】
2014232386.tif 000018
【図１７】
2014232386.tif 000019
【図１８】
2014232386.tif 000020
【図１９】
2014232386.tif 000021
【図２０】
2014232386.tif 000022
【図２１】
2014232386.tif 000023
【図２２】
2014232386.tif 000024
【図２３】
2014232386.tif 000025
【図２４】
2014232386.tif 000026
【図２５】
2014232386.tif 000027
【図２６】
2014232386.tif 000028
【図２７】
2014232386.tif 000029
【図２８】
2014232386.tif 000030
【図２９】
2014232386.tif 000031